(57)【要約】      （修正有）【課題】ＶＡＳ試験で統計的な情報を得ようとする場合に、被験者の負担を減らす方法を提供する。【解決手段】被験者が評価した感覚を計測する計測装置であって、１回の被験によって被験者が選択した感覚に対応する指標の範囲を標本データとして受信する受信部と、標本データを予め設定された分布に対応付けて、擬似的な標本を生成する生成部とを備える。また、被験者が評価した感覚を計測する計測方法であって、１回の被験によって被験者が選択した感覚に対応する指標の範囲を標本データとして受信する受信段階と、標本データを予め設定された分布に対応付けて、擬似的な標本を生成する段階とを備える。【選択図】図２
2019017878.tif 000002
【特許請求の範囲】
【請求項１】
被験者が評価した感覚を計測する計測装置であって、
１回の被験によって前記被験者が選択した前記感覚に対応する指標の範囲を標本データとして受信する受信部と、
前記標本データを予め設定された分布に対応付けて、擬似的な標本を生成する生成部と
を備える計測装置。
【請求項２】
被験ごとに得られた複数の前記擬似的な標本を演算する演算部を更に備える請求項１に記載の計測装置。
【請求項３】
前記受信部はさらに、前記分布を前記範囲に対応付けて受信する請求項１または２に記載の計測装置。
【請求項４】
前記生成部は、前記範囲が前記指標のいずれか一方に予め定められた境界よりも近い場合には、前記指標のいずれか前記一方に偏った分布を割り当てる請求項１から３のいずれか１項に記載の計測装置。
【請求項５】
前記指標を表示する表示装置と、
請求項１から４にいずれか一項に記載の計測装置と
を含む計測システム。
【請求項６】
被験者が評価した感覚を計測する計測方法であって、
１回の被験によって前記被験者が選択した前記感覚に対応する指標の範囲を標本データとして受信する受信段階と、
前記標本データを予め設定された分布に対応付けて、擬似的な標本を生成する段階と
を備える計測方法。
【請求項７】
被験者が評価した感覚を計測する計測装置を制御するプログラムであって、前記計測装置に、
１回の被験によって前記被験者が選択した前記感覚に対応する指標の範囲を標本データとして受信する受信段階と、
前記標本データを予め設定された分布に対応付けて、擬似的な標本を生成する段階と
を実行させるプログラム。
【請求項８】
被験者が評価する感覚に対応する指標の範囲を含むスケールを表示する表示部と、
前記被験者によって入力された前記指標の範囲を標本データとして受信する入力部と、
前記標本データを予め設定された分布に対応付けて、擬似的な標本を生成する制御部と
を備える携帯型端末。
【発明の詳細な説明】
【技術分野】
【０００１】
本発明は、計測装置、計測システム、計測方法、プログラムおよび携帯型端末に関する。
【背景技術】
【０００２】
痛みや負荷などの感覚を標本化して計測する方法として、ＶＡＳ（Visual Analog Scale）試験がある。ＶＡＳ試験は、被験者が感じた感覚の強さを、直線状のスケール上の一点で指定（点入力）させる方法である（例えば、非特許文献１参照）。
非特許文献１  日本ペインクリニック学会ホームページの「痛みの評価法」http://www.jspc.gr.jp/gakusei/gakusei_rank.html
【発明の概要】
【０００３】
しかしながら、上記ＶＡＳ試験で統計的な情報を得ようとすると、ひとつの標本を得るたびに被験者に多数回も被験してもらうことになり、被験のために被験者の負担が大きくなるという不具合がある。
【０００４】
本発明の第１の態様においては、被験者が評価した感覚を計測する計測装置であって、１回の被験によって被験者が選択した感覚に対応する指標の範囲を標本データとして受信する受信部と、標本データを予め設定された分布に対応付けて、擬似的な標本を生成する生成部とを備える。
【０００５】
本発明の第２の態様においては、被験者が評価した感覚を計測する計測方法であって、  １回の被験によって被験者が選択した感覚に対応する指標の範囲を標本データとして受信する受信段階と、標本データを予め設定された分布に対応付けて、擬似的な標本を生成する段階とを備える。
【０００６】
本発明の第３の態様においては、被験者が評価した感覚を計測する計測装置を制御するプログラムであって、前記計測装置に、１回の被験によって前記被験者が選択した前記感覚に対応する指標の範囲を標本データとして受信する受信段階と、前記標本データを予め設定された分布に対応付けて、擬似的な標本を生成する段階とを実行させる。
【０００７】
本発明の第４の態様においては、携帯型端末であって、被験者が評価する感覚に対応する指標の範囲を含むスケールを表示する表示部と、被験者によって入力された指標の範囲を標本データとして受信する入力部と、標本データを予め設定された分布に対応付けて、擬似的な標本を生成する制御部とを備える。
【０００８】
上記の発明の概要は、本発明の特徴の全てを列挙したものではない。これらの特徴群のサブコンビネーションも発明となりうる。
【図面の簡単な説明】
【０００９】
【図１Ａ】本実施形態で用いるスケール１０を示す。
【図１Ｂ】本実施形態にかかる携帯型端末１２０を示す。
【図１Ｃ】本実施形態で用いる複数のスケール１１を示す。
【図２】本実施形態におけるスケール１０に幅２０が指定された状態を示す。
【図３】本実施形態において、同一のスケールを用いて複数回、幅を指定させた場合を説明する概念図である。
【図４Ａ】本実施形態にかかる計測装置１００の機能ブロック図である。
【図４Ｂ】本実施形態にかかる他の携帯型端末１５０の機能ブロック図である。
【図５】本実施形態における計測装置１００の動作の一例を示すフローチャートである。
【図６】実施例１の実験を説明する概略図である。
【図７】実施例１の実験結果を示す。
【図８】実施例２の実験結果を示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
本実施形態における計測装置（感覚標本計測装置）は、評価用の複数の指標１８（例、数字、文字や図形）が所定の範囲（例、最小値から最大値の範囲）で設けられたスケール１０を用いて被験者が評価した感覚を計測することを含む。本実施形態の計測装置や計測方法（感覚標本計測法）では、１回の被験において、被験者に、被験した感覚の評価を複数の指標１８を含むスケール上で該指標を選択させてスケール上の幅で指定された複数の指標（指標の範囲）に相当する標本データをもとに擬似的な標本を得る。また、計測装置は、スケール上の幅を複数回指定させた場合（複数回の被験）、それぞれの指定（選択）において得られた擬似的な標本の集合（複数の疑似的な標本、疑似的な標本のセット）を用いて、対応する擬似的な標本（後述の総合的な疑似標本を含む）を得る。例えば、ユーザ（評価者）は、計測装置などからそのようにして得られた、擬似的な標本から被験者の感覚を客観的に評価する。
【００１２】
本実施形態における計測装置は、指定された幅から擬似的な標本を得ることで、複数の点を指定するときの統計的なデータを一回の試行（被験）で擬似的に得ることができる。よって、従来のＶＡＳ試験等に比べて少ない試行回数で、感覚を客観的に評価することができ、被験者への負担を減らすことができる。さらに、被験者に感覚を点ではなく幅で指定させることにより、被験者の評価の迷い等の心理的負担を軽減し、回答の曖昧さを低減することによってより客観的な評価をすることができる。
【００１３】
図１Ａは、本実施形態の感覚標本計測方法で用いるスケール１０を示す。スケール１０は紙や板などに描かれていてもよいし、タブレット等の表示装置に表示されていてもよい。
【００１４】
スケール１０は、第一の値と当該第一の値よりも大きい第二の値との間を線で結んだものである。ＶＡＳ試験に用いられるものと同じものであってよい。図１Ａに示す例で、スケール１０は、線部１２と、当該線部１２の両端に設けられた端部１４、１６を有する。線部１２には実線の水平線が引かれているが、これに限られず、破線等であってもよいし、目盛が刻まれていてもよい。また、図１Ａの例では、線部１２は直線状に並んだ点の集まりとみなすことができ、その意味において、スケール１０は、当該点である複数の指標１８が端部１４から端部１６の範囲に設けられているともいえる。上記の通り、指標１８は、点に代えて他の図形、文字、数字等であってよい。指標１８として数字を用いる場合は、例えば、０から１００までの数値を１０おきに並べて配してもよい。
【００１５】
図１Ａの例では一方の端部１４には線部１２に直交する短い線と「最小値」という表記が描かれており、他方の端部１６には線部１２に直交する短い線と「最大値」という表記が描かれている。なお端部１４、１６における短い線および表記はあってもなくてもよい。また、表記は端部１４の側が小さい、少ないまたは低いことを示し、端部１６の側が大きい、多いまたは高いことを示すものであることが好ましく、例えば他の例として百分率における「０」と「１００」などが挙げられる。
【００１６】
スケール１０を準備し、被験者が被験した感覚に対応して、スケール１０内の幅を指定させる。幅の指定は、スケール１０が紙や板に描かれている場合には、ペンなどによる直接の描画、幅の開始から終了までの指差し、電子ペンによる読み取りなどの方法でなされてよい。また、スケール１０が表示装置に表示されている場合には、マウスやキーボードなどの入力装置により、または、表示装置自体がタッチパネルである場合には表示装置へのタッチにより幅の指定を受け付けてよい。ここで、「感覚」には、いわゆる五感として知られている視覚、聴覚、触覚、味覚、嗅覚の他、温覚、冷覚、痛覚等の触覚以外の体性感覚（皮膚感覚、深部感覚など）や、内臓感覚、平衡感覚等、外部刺激を受け取った受容器を介して人が経験する心的現象の全てが含まれる。
【００１７】
被験者に被験した感覚に対応した幅を指定してもらう場合、最小値は前記感覚を全く感じない状態における評価とし、最大値は前記感覚を最大に感じ得る状態の評価とすることが好ましい。例えば、被験者に対し、端部１４を「負担や痛みを感じない」状態であることを説明し、端部１６を「被験者が想像できる最も大きい負担や痛みを感じた」状態であると説明した上で、「今回の被験での感覚はどのあたりですか？」というように被験者に尋ねる方法が好ましい。幅の広さは被験者に任意に指定してもらってよい。被験内容は、痛み、加重負担、味覚などいかなる感覚でもよく、ＶＡＳ試験を用いて計測されるものに対して適用することができる。
【００１８】
図１Ｂは、スケール１０を表示する携帯型端末１２０を示す。携帯型端末１２０は表示部１３２にスケール１０を表示する。さらに、携帯型端末１２０はスタイラスペン１２２により被験者１２４からの入力を受け付ける。携帯型端末１２０の例は、タブレット、スマートフォン等である。
【００１９】
次に、本実施形態における計測装置１００の構成について説明する。図４Ａは、上記した携帯型端末１２０、および、携帯型端末１２０からのデータに基づいて感覚標本を計測する計測装置１００のブロック図である。携帯型端末１２０は、被験者１２４からの入力を受け付ける入力部１３０と、スケール１０を表示する表示部１３２と、計測装置１００にデータを送信する送信部１３４と、計測装置１００からのデータを受信する受信部１３８と、それら各部を制御する制御部１３６とを有する。
【００２０】
計測装置１００は、受付部（受信部）１０４、出力部１０６、記録部１０８、生成部１１０および演算部１１２を備える。受付部（受信部）１０４は、１回の被験によって被験者１２４が携帯型端末１２０を用いて選択した感覚に対応する指標の範囲を標本データとして送信部１３４から受信する。記録部１０８は、標本データを記録する。生成部１１０は、標本データを予め設定された分布に対応付けて、擬似的な標本を生成する。演算部１１２は、被験ごとに得られた複数の擬似的な標本を演算する。出力部１０６は、生成部１１０または演算部１１２が生成した擬似的な標本のデータ等を携帯型端末１２０に送信する。
【００２１】
計測装置１００は、タブレットやパーソナルコンピュータであってよい。その場合に、計測装置１００はアプリケーションソフトウェアを読み込むことにより、上記の受付部（受信部）１０４等の各部の各機能を実行してもよい。
【００２２】
図２は、携帯型端末１２０の入力部１３０に対して被験者１２４からスケール１０に幅（指標の範囲）２０が指定された状態を示す。幅２０における値の小さい側を開始値ｓ、大きい側を終了値ｅとすると、それらの中央値ｍは下記式（数１）で表される。
【数１】
2019017878.tif 000003
中央値ｍから終了値ｅまでの長さＬは下記式（数２）で表される。なお、長さＬは、その定義から、開始値ｓから中央値ｍまでの長さに等しい。
【数２】
2019017878.tif 000004
【００２３】
計測装置１００の生成部１１０は、上記のように指定された幅２０から、１回の被験によってスケール１０上の位置が複数回指定されたとした場合に対応する擬似的な標本３０を得る。なお、疑似的な標本３０は、１つ又は複数の標本を含む。以下、擬似的な標本３０を疑似標本ともいう。生成部１１０が疑似的な標本を算出する場合に、指定される幅２０に対応する分布を、ユーザが記録部１０８に予め設定しておく。分布の一例は、図２の正規分布２２である。この場合に、例えば、生成部１１０は開始値ｓから終了値ｅまでの長さ２Ｌを正規分布２２の３σに対応させて、該正規分布に対応付けた疑似的な標本３０を得る（例、正規分布の中央部分に相当する疑似標本の数が多く、正規分布の端部に相当する疑似標本の数が少ない）。これは、一回の幅（指標の範囲、標本データ）２０の指定を、正規分布２２をなす擬似標本３０の集団を得たことに対応させたことになる。これにより、生成部１１０は１回の被験に対応した１回の幅２０の指定により、擬似的に複数の被験に対応する複数の擬似標本３０からなる分布を得ることができる。
【００２４】
なお、幅２０に対応する分布は正規分布２２に限られず、任意の他の分布であってもよい。分布の他の例は、図２の最下段に示す一様分布２４である。さらに、指定された幅２０の位置によって、分布の形を変えてもよい。例えば、生成部１１０は幅２０が端部１４に、予め定められた境界よりも近い場合には、端部１４の側に偏った分布を割り当ててもよい。端部１６についても同様に、生成部１１０は幅２０が端部１６の側に近いときにはそちらに偏った分布を割り当ててもよい。この場合には幅２０が予め定められた閾値よりも端部１４、１６のいずれからも離れている場合には左右対称な分布を割り当てることが好ましい。
【００２５】
被験者に幅２０を指定してもらうということは、ＶＡＳ試験における回答の曖昧さと感覚の曖昧さのうち、回答の曖昧さを当該幅２０を指定させることで感覚の曖昧さに内包させているともいえる。よって、本実施形態の技術によれば、回答の曖昧さを低減することができ、１回の幅２０の指定（被験）によって得られる複数の指標にＶＡＳ試験で切り捨てていた情報（指定されなかった指標）が標本として含まれることになるといえる。
【００２６】
なお、幅２０に対応する分布はユーザである計測者が記録部１０８に予め設定しておくが、設定の方法はこれに限られない。他の例として、被験者が幅２０の指定時に設定してもよい。さらに、幅２０の指定のたびに、計測者または被験者が分布を設定してもよい。
【００２７】
図１Ｃは、複数の同一のスケール１１を示す。図３は同一のスケールを用いて複数回、幅を指定させた場合を説明する概念図である。
【００２８】
制御部１３６は、図１Ｃに示すスケール１１を、携帯型端末１２０の表示部１３２に表示させる。携帯型端末１２０は、スケール１１の上から順番に被験回数ごとに幅の指定を受け付ける。
【００２９】
図３に示すように、１回目の幅指定４０で幅４４が指定されたことにより、幅４４に対応する分布４２をなす擬似標本が得られ、２回目の幅指定５０で幅５４が指定されたことにより、幅５４に対応する分布５２をなす擬似標本が得られる。以下同様に、ｎ回目の幅指定６０で幅６４が指定されたことにより、幅６４に対応する分布６２をなす擬似標本が得られる。
【００３０】
ここで、演算部１１２は、１回目からｎ回目までの複数の擬似標本を同一のスケール上にプロットすることにより、幅７４を有する総合的な擬似標本７０の統計分布７２を得る。この場合に、演算部１１２は、例えば、１回目からｎ回目までの擬似標本を同一のスケール上にプロットして足し合わせる演算を行ってもよいし、被験の回数に応じた重み付けをして足し合わせる演算を行ってもよい。これにより、ＶＡＳ試験と比較して１回あたりに得られる情報量（例、標本）が多いために、少ない被験回数で被験者への負担を軽減しつつ、多くの被験回数に相当する標本の分布（擬似標本の統計分布）を得ることができる。そして、計測装置１００によって算出されたこの疑似標本の統計分布は、計測装置１００の出力部１０６から携帯型端末１２０などの端末へ出力され、ユーザ（被験者）ごとの負荷等の感覚の評価（例、負荷の個体差の評価など）に利用される。
【００３１】
また、本実施形態は、時間的な前後での擬似的な標本間の統計処理により、感覚の変化を評価することもできる。例えば、薬を投与する前の痛みの評価と、薬を投与した後の痛みの評価を統計処理により比較して、その薬に痛みを軽減する効果があるかどうか、という評価に用いることができる。
【００３２】
図５は、計測装置１００の動作の一例を示すフローチャートである。
【００３３】
受付部（受信部）１０４は、幅２０に対応付ける分布（例、正規分布）の設定をユーザから受け付ける（Ｓ１０）。受付部（受信部）１０４はさらに、受け付けた分布を記録部１０８に記録する。この場合に、受付部（受信部）１０４が分布の設定を直接受け付けてもよいし、ユーザが携帯型端末１２０の入力部１３０へ入力した設定を、送信部１３４が受付部（受信部）１０４に送信してもよい。これに代えて、記録部１０８に、幅２０に対応付ける分布を予め記録させておき、ステップＳ１０の動作を省略してもよい。
【００３４】
携帯型端末１２０の表示部１３２は図１Ａまたは図１Ｃに示すスケール１０、１１を表示する（Ｓ１２）。スケール１０を表示部１３２上で描画するためのデータは予め計測装置１００の記録部１０８に記録されており、出力部１０６から送信されて受信部１３８および制御部１３６を介して表示部１３２に送られる。
【００３５】
次に、受付部（受信部）１０４は、被験者からスケール１０内の幅（指標の範囲）２０の指定を受け付ける（受信する）（Ｓ１４）。なお、受付部１０４（受信部）は、受付部１０４（受信部）が幅の指定を直接受け付けてもよいし、ユーザが携帯型端末１２０の入力部１３０へ入力した幅の指定を、送信部１３４が受付部１０４（受信部）に送信してもよい。また、携帯型端末１２０の表示部１３２自体がタッチパネルである場合には表示部１３２へのタッチ操作により幅の指定を受け付けてよい。例えば、表示部１３２が入力部１３０を兼ねてもよい。入力部１３０で受け付けた指定が１点であったり複数の幅２０の指定であったりした場合には、表示部１３２に警告を表示してもよい。受付部１０４（受信部）は受け付けた幅の指定を記録部１０８に記録する。
【００３６】
生成部１１０は、記録部１０８から上記入力された幅を標本データとして読み出し、スケール上の位置が複数回指定されたとしたときの擬似的な標本を生成する（Ｓ１６）。そして、生成部１１０は、上記ステップＳ１４及びＳ１６の動作をｎ回繰り返す（Ｓ１８：Ｎｏ）。演算部１１２は、受付部１０４が幅の指定をｎ回受け付けた場合に（Ｓ１８：Ｙｅｓ）、１回目からｎ回目までの擬似標本を足し合わせる等の演算（例、加算、除算、乗算）を行うことにより、総合的な擬似標本の統計分布を得る（Ｓ２０）。これに加えて演算部１１２は、指定回数に対応付けて擬似標本を個別に出力してもよい。演算部１１２は、擬似標本の統計分布を出力部１０６等を介して携帯型端末１２０の表示部１３２に表示してもよいし、表示部１３２とは別に、例えば、メールとして別端末へ送信したり、外部メモリへ出力したりしてもよい。また、生成部１１０も、一回ごとの擬似的な標本を出力部１０６等を介して携帯型端末１２０の表示部１３２に表示してもよいし、表示部１３２とは別に、例えば、メールとして別端末へ送信したり、外部メモリへ出力したりしてもよい。
【実施例】
【００３７】
（実施例１）
本実施形態における幅の指定と、比較例としてのＶＡＳ試験との比較を行った。ここで、指定される幅に対応付ける擬似的な標本として正規分布を選択した。
【００３８】
この場合に、１回目からｎ回目までの擬似標本を同一のスケール上にプロットして得た、統計分布７２において、中央値ｍによる標準偏差σｍは下記式（数３）で表される。
【数３】
2019017878.tif 000005
ここで
【数４】
2019017878.tif 000006
である。
【００３９】
また、長さＬによる標準偏差σＬは下記式（数５）で表される。
【数５】
2019017878.tif 000007
ここで
【数６】
2019017878.tif 000008
である。
【００４０】
中央値ｍによる標準偏差σｍと長さＬによる標準偏差σＬとから、擬似標本全体の標準偏差σは下記式（数７）で表される。
【数７】
2019017878.tif 000009
【００４１】
実施例１の実験において、被験者１２４は３名とし、６通りの荷重１２６（０、１、１．５、２．５、３、５（単位はｋｇ））のいずれかを図６のように持ち上げてもらい、本実施形態によるスケール１０の幅２０の指定を１０回、ＶＡＳ試験を２０回行った。荷重１２６の順序、幅の指定かＶＡＳかの順序は共にランダムとし、荷重の大きさは被験者１２４には知らせなかった。また、スケール１０の端部１４が「負担を感じない」場合に対応し、他の端部１６を「被験者が想像することのできる最大の負担」に対応させるよう、被験者１２４に説明した。いずれも線部分を１００ｍｍとした。
【００４２】
図７は、実施例１の実験結果を示す。横軸は荷重を示し、縦軸は被験者により指定されたスケール上の位置である。ＶＡＳ試験においては被験者により指定された位置そのものであり、本実施形態においては幅２０の開始値ｓと終了値ｅとを示した。
【００４３】
図７の実験結果から分かるように、荷重が増えるにしたがって、開始値ｓ、終了値ｅ共にスケール１０における負担の大きい方に対応した位置が指定されている。さらに、各荷重において、ＶＡＳ試験の結果が開始値ｓと終了値ｅの幅の中に入っている。これらのことから、本実施形態の方法がＶＡＳ試験と標本化の傾向が一致していることが分かる。よって、本実施形態の方法よる擬似的な標本が妥当であることが示された。
【００４４】
（実施例２）
本実施形態による計測回数とＶＡＳ試験による計測回数との関係を検討した。被験者１２４は１名とし、１通り（５ｋｇ）の荷重１２６を図６のように持ち上げてもらい、本実施形態によるスケール１０の幅２０の指定を５回、ＶＡＳ試験を３０回行った。最初と、持ち上げ動作１０回ごとに１０ｋｇの荷重１２６を持ち上げた。ＶＡＳ試験による計測を午前、本実施形態による計測を午後に行った。荷重１２６の大きさは被験者１２４には知らせなかった。また、スケール１０の端部１４が「実験前の状態」に対応し、他の端部１６を「１０ｋｇの荷重を持ち上げた時の負担」に対応させるよう、被験者１２４に説明した。いずれも線部分を１００ｍｍとした。
【００４５】
図８は、実施例２の実験結果を示す。横軸は本実施形態による指定の回数を示し、左側縦軸は本実施形態の標準偏差と３０回のＶＡＳ試験の標準偏差との差を示し、右側縦軸はｔ検定の検定統計量を示す。
【００４６】
本実施形態とＶＡＳ試験とが等価であると仮定する条件を、ｔ検定において検定統計量が基準値を下回ること、および、本実施形態の標準偏差と３０回のＶＡＳ試験の標準偏差との差が５％以内であることとした。なお、本実施例において基準値は、有意水準０．０５における基準値である１．９６を採用している。図８に示されるように、上記条件は本実施形態が３回および５回の場合に満足されている。よって、当該実施例においては、３０回のＶＡＳ試験相当の統計値を、本実施形態を最低３回行うことにより得ることができているといえる。
【００４７】
なお、本実施形態を実行する回数が多いとＶＡＳ試験と一致しなくなることもあるが、これは得られる擬似的な標本の分布の種類によるものと推測される。例えば、擬似的な標本として正規分布を選択した場合、実行回数が多くなると分散が大きくなり、標準偏差が大きくなる。この場合、実行回数が少ないＶＡＳ試験と一致しなくなる可能性が高くなる。評価をする感覚によって、実行回数や得られる擬似的な標本の分布の種類を適宜変更することが好ましい。
【００４８】
上記実施形態はいずれもスケール１０が一次元の線部１２を有するが、互いに直交する二つの線部を有するスケールを用いて一つの被験に対して二つの感覚を二次元的な面積として被験者に指定させてもよい。これにより二つの感覚の相関を容易に標本化することができる。
【００４９】
次に、本実施形態の変形例について説明する。図４Ｂは、本実施形態にかかる他の携帯型端末１５０の機能ブロック図である。携帯型端末１５０は、図４Ａで携帯型端末１２０と計測装置１００とに分かれていた構成を一体的に有する。例えば、携帯型端末１５０は、被験者が評価する感覚に対応する指標の範囲を含むスケールを表示する表示部１３２と、被験者によって入力された指標の範囲を標本データとして受信する入力部１３０と、標本データを予め設定された分布に対応付けて、擬似的な標本を生成する制御部１４０と、予め設定された分布、スケール１０のデータ及び標本データ等を記録する記録部１４６を備える。制御部１４０は、計測装置１００の生成部１１０及び演算部１１２と同等の機能を有する生成部１４２および演算部１４４を備える。また、携帯型端末１５０は、擬似的な標本のデータ等を外部の装置へ送信する送信部１３４と、外部の装置から種々のデータを受信する受信部１３８をさらに備える。なお、本変形例において、携帯型端末１５０は、図５で示したフローチャートと同様の処理を実施することによって、上記した総合的な擬似標本の統計分布を得ることができる。
【００５０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５２】
１０  スケール、１２  線部、１４、１６  端部、１８  指標、２０、４４、５４、６４、７４  幅、２２  正規分布、４２、５２、６２  分布、２４  一様分布、３０  擬似標本、４０、５０、６０  幅指定、７０  擬似標本、７２  統計分布、１００  計測装置、１０４  受付部（受信部）、１０６  出力部、１０８、１４６  記録部、１１０、１４２  生成部、１１２、１４４  演算部、１２０、１５０  携帯型端末、１２２  スタイラスペン、１２４  被験者、１２６  荷重、１３０  入力部、１３２  表示部、１３４  送信部、１３６、１４０  制御部、１３８  受信部
【図１Ａ】
2019017878.tif 000010
【図１Ｂ】
2019017878.tif 000011
【図１Ｃ】
2019017878.tif 000012
【図２】
2019017878.tif 000013
【図３】
2019017878.tif 000014
【図４Ａ】
2019017878.tif 000015
【図４Ｂ】
2019017878.tif 000016
【図５】
2019017878.tif 000017
【図６】
2019017878.tif 000018
【図７】
2019017878.tif 000019
【図８】
2019017878.tif 000020